(57)【要約】【課題】作製作業、運搬作業、設置作業を容易迅速に行うことができるだけでなく、一部破損した場合でも取替え作業や取替えコストにおいても有利な引戸を提供する点にある。【解決手段】下面に回転自在な走行体３を備えたベースフレーム４と、ベースフレーム４から上方へ立ち上げられた引戸本体５とを備えた引戸であって、走行体３をベースフレーム４に螺子体により取付自在に構成し、ベースフレーム４と引戸本体５とを螺子体６により連結自在に構成し、ベースフレーム４が、左右方向両端に位置する端部フレーム部７と、これら端部フレーム部７，７の左右方向内方側端に連結可能な中間フレーム部８とを備え、引戸本体５が、少なくとも両側の端部フレーム部７，７それぞれに連結自在な縦フレーム部９を備えた。【選択図】図１
2008063808.tif 000002
【特許請求の範囲】
【請求項１】
下面に回転自在な走行体を備えた環状の外枠部を有するベースフレームと、該ベースフレームから上方へ立ち上げられた引戸本体とを備えた引戸であって、前記走行体を前記ベースフレームに螺子体により取付自在に構成し、前記ベースフレームと前記引戸本体とを螺子体により連結自在に構成し、前記ベースフレームが、左右方向両端に位置する端部フレーム部と、これら端部フレーム部の左右方向内方側端に連結可能な中間フレーム部とを備え、前記引戸本体が、前記端部フレーム部及び前記中間フレーム部のうちの少なくとも両側の端部フレーム部それぞれに連結自在な縦フレーム部を備えていることを特徴とする引戸。
【請求項２】
左右方向で隣り合う前記縦フレーム部同士を左右方向で連結して補強するための補強用の連結フレーム部を備えていることを特徴とする請求項１に記載の引戸。
【請求項３】
前記端部フレーム部及び前記中間フレーム部のうちの少なくとも端部フレームの上面に、前記縦フレーム部の下端をそれぞれ嵌合可能な嵌合部を備え、該嵌合部に該縦フレーム部の下端をそれぞれ嵌合した状態で螺子体にて両者を固定している請求項２に記載の引戸。
【請求項４】
前記縦フレーム部が、前記端部フレーム部の前端部に連結されて上方へ延びる前側部材と、該端部フレーム部の後端部に連結されて上方へ延びるとともに該前側部材の上部まで延びて該前側部材の上部に連結される後側部材とを備えている請求項１〜３のいずれかに記載の引戸。
【請求項５】
前記前側部材及び前記後側部材が筒状の中空部材からなり、該前側部材及び該後側部材のうちの一方の上部に、他方を嵌合可能な嵌合部を備え、該嵌合部に該前側部材の上部又は該後側部材の上部を嵌合した状態で螺子体にて両者を固定している請求項４に記載の引戸。
【請求項６】
前記端部フレーム部及び前記中間フレーム部のそれぞれが、筒状の中空部材からなり、該端部フレーム部及び該中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該端部フレームと該中間フレーム部とを連結するための螺子体とを備えている請求項１〜５のいずれかに記載の引戸。
【請求項７】
前記引戸本体が、それの前方側に張り出すメッシュ状又は格子状の化粧用のパネル体を前記縦フレーム部に取り付けてなる請求項１〜６のいずれかに記載の引戸。
【請求項８】
前記中間フレーム部を複数備え、これら複数の中間フレーム部を左右方向に連結自在に構成してなる請求項１〜７のいずれかに記載の引戸。
【請求項９】
前記複数の中間フレーム部が、筒状の中空部材からなり、該複数の中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該中間フレーム部同士を連結するための螺子体とを備えている請求項８に記載の引戸。
【発明の詳細な説明】
【技術分野】
【０００１】
本発明は、例えば建物の周りに設置される仕切り用のフェンスや塀あるいは壁などの一箇所又は複数箇所に形成される出入り口を開閉するために設置されるスライド式の門扉を含む引戸に関し、より詳しくは、下面に回転自在な走行体を備えた環状の外枠部を有するベースフレームと、該ベースフレームから上方へ立ち上げられた引戸本体とを備えた引戸に関する。
【背景技術】
【０００２】
上記引戸は、出入り口の大きさに合わせて作製されるものであるため、その出入り口の大きさが異なる度に、工場等で所定の左右寸法及び前後寸法のベースフレームと引戸本体とを金属材料を用いて作製し、これら作成したベースフレームと引戸本体とを溶接により一体化した後、走行体である車輪をベースフレームの下面に取り付けて引戸を構成している（例えば、特許文献１参照）。
そして、その構成した引戸をトラックに積んで設置場所まで運搬した後、引戸をトラックから降ろしてから設置場所に設置するようにしている。
【特許文献１】実開平７−４０９９７号公報（図１、図２参照）
【発明の開示】
【発明が解決しようとする課題】
【０００３】
上記のように、出入り口の大きさに合わせてベースフレームと引戸本体とを金属材料を用いて作製し、これら作成したベースフレームと引戸本体とを溶接により一体化する作製作業が手間のかかる煩わしい作業になっていた。しかも、上記スライド開閉式の引戸は、会社や工場等の出入り口に設置される場合が多いため、比較的大型なものが多い。そのため、引戸の重量も重くなり、場合によっては、引戸のトラックへの積み下ろしや設置場所への移動をクレーンなどの重機を用いて行わなければならず、運搬作業及び設置作業も手間のかかる煩わしいものであった。
又、引戸の一部が破損した場合に、引戸全体を新しいものに取替えなければならず、取替え作業や取替えコストにおいても不利になることがあり、改善の余地があった。
【０００４】
本発明が前述の状況に鑑み、解決しようとするところは、作製作業、運搬作業、設置作業を容易迅速に行うことができるだけでなく、一部破損した場合でも取替え作業や取替えコストにおいても有利な引戸を提供する点にある。
【課題を解決するための手段】
【０００５】
本発明の引戸は、前述の課題解決のために、下面に回転自在な走行体を備えた環状の外枠部を有するベースフレームと、該ベースフレームから上方へ立ち上げられた引戸本体とを備えた引戸であって、前記走行体を前記ベースフレームに螺子体により取付自在に構成し、前記ベースフレームと前記引戸本体とを螺子体により連結自在に構成し、前記ベースフレームが、左右方向両端に位置する端部フレーム部と、これら端部フレーム部の左右方向内方側端に連結可能な中間フレーム部とを備え、前記引戸本体が、前記端部フレーム部及び前記中間フレーム部のうちの少なくとも両側の端部フレーム部それぞれに連結自在な縦フレーム部を備えていることを特徴としている。
上記のように走行体、ベースフレームを構成する端部フレーム部と中間フレーム部、引戸本体を構成する縦フレーム部をそれぞれ作製し、作製した多数の構成部材同士を螺子体により取り付けることができる構成にしていることから、それらの一部の構成部材を組み立てた複数の部材を運搬して設置場所まで運搬する、あるいはそれら全ての構成部材を組み立てないで構成部材全てを運搬して設置場所で、組み立て作業を行うようにすることができるから、組み立てが完了した重量のある引戸をクレーン等の重機を用いながら運搬や設置を行う場合に比べて、作業を容易迅速に行うことができる。又、引戸の一部が破損した場合には、破損した構成部材のみを取り替えるだけで済ませることができる。又、一部の構成部材の寸法を変更するだけで、引戸全体の寸法を変更することができ、出入り口の大きさに合わせてベースフレームを作製する場合に比べて、構成部材の製造及び運搬時や設置時のハンドリングを容易迅速に行うことができ、作製作業が有利になる。
【０００６】
左右方向で隣り合う前記縦フレーム部同士を左右方向で連結して補強するための補強用の連結フレーム部を備えさせてもよい。
【０００７】
前記端部フレーム部及び前記中間フレーム部のうちの少なくとも端部フレームの上面に、前記縦フレーム部の下端をそれぞれ嵌合可能な嵌合部を備え、該嵌合部に該縦フレーム部の下端をそれぞれ嵌合した状態で螺子体にて両者を固定してもよい。
【０００８】
前記縦フレーム部が、前記端部フレーム部の前端部に連結されて上方へ延びる前側部材と、該端部フレーム部の後端部に連結されて上方へ延びるとともに該前側部材の上部まで延びて該前側部材の上部に連結される後側部材とを備えさせてもよい。
【０００９】
前記前側部材及び前記後側部材が筒状の中空部材からなり、該前側部材及び該後側部材のうちの一方の上部に、他方を嵌合可能な嵌合部を備え、該嵌合部に該前側部材の上部又は該後側部材の上部を嵌合した状態で螺子体にて両者を固定してもよい。
【００１０】
前記端部フレーム部及び前記中間フレーム部のそれぞれが、筒状の中空部材からなり、該端部フレーム部及び該中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該端部フレームと該中間フレーム部とを連結するための螺子体とを備えさせてもよい。
【００１１】
前記引戸本体が、それの前方側に張り出すメッシュ状又は格子状の化粧用のパネル体を前記縦フレーム部に取り付けられてもよい。
【００１２】
前記中間フレーム部を複数備え、これら複数の中間フレーム部を左右方向に連結自在に構成してもよい。
【００１３】
前記複数の中間フレーム部が、筒状の中空部材からなり、該複数の中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該中間フレーム部同士を連結するための螺子体とを備えさせてもよい。
【発明の効果】
【００１４】
引戸を構成する構成部材である走行体、端部フレーム部と中間フレーム部、縦フレーム部をそれぞれ作製し、作製した多数の構成部材同士を螺子体により取り付けることができる構成にしていることから、それらの一部の構成部材を組み立てた複数の部材を運搬して設置場所まで運搬する、あるいはそれら全ての構成部材を組み立てないで構成部材全てを運搬して設置場所で、組み立て作業を行うようにすることができるから、組み立てが完了した重量のある引戸をクレーン等の重機を用いながら運搬や設置を行う場合に比べて、運搬作業及び設置作業を容易迅速に行うことができ、又、引戸の一部が破損した場合でも、破損した構成部材のみを取り替えるだけで済ませることができ、取替え作業や取替えコストにおいても有利な引戸を提供することができる。又、一部の構成部材の寸法を変更するだけで、引戸全体の寸法を変更することができ、出入り口の大きさに合わせてベースフレームを作製する場合に比べて、構成部材の製造及び運搬時や設置時のハンドリングを容易迅速に行うことができ、作製作業においても有利になる。
【００１５】
左右方向で隣り合う前記縦フレーム部同士を左右方向で連結して補強するための補強用の連結フレーム部を備えさせることによって、引戸の強度アップを図ることができる。
【００１６】
前記端部フレーム部及び前記中間フレーム部のうちの少なくとも端部フレームの上面に、前記縦フレーム部の下端をそれぞれ嵌合可能な嵌合部を備え、該嵌合部に該縦フレーム部の下端をそれぞれ嵌合した状態で螺子体にて両者を固定する場合には、縦フレーム部の下端を嵌合部に嵌合するだけで、端部フレーム部に対する縦フレーム部の位置合わせ及び仮固定を行うことができ、その状態から螺子体にて直ちに両者を固定することができる。
又、前記前側部材及び前記後側部材が筒状の中空部材からなり、該前側部材及び該後側部材のうちの一方の上部に、他方を嵌合可能な嵌合部を備え、該嵌合部に該前側部材の上部又は該後側部材の上部を嵌合した状態で螺子体にて両者を固定する場合も、前記と同様に、嵌合部に該前側部材の上部又は該後側部材の上部を嵌合するだけで、前側部材に対する後側部材の位置合わせ及び仮固定を行うことができ、その状態から螺子体にて直ちに両者を固定することができる。
【００１７】
前記端部フレーム部及び前記中間フレーム部のそれぞれが、筒状の中空部材からなり、該端部フレーム部及び該中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該端部フレームと該中間フレーム部とを連結可能とするための螺子体とを備えさせている場合には、強度的に弱くなる連結部分を挿入部材にて補強することができるとともに、挿入部材が外部に露出されることがなく、意匠感を高めることができる。
【００１８】
前記引戸本体が、それの前方側に張り出すメッシュ状又は格子状の化粧用のパネル体を前記縦フレーム部に取り付けられている場合には、意匠感に優れた商品価値の高い引戸にすることができる。
【００１９】
前記中間フレーム部を複数備え、これら複数の中間フレーム部を左右方向に連結自在に構成している場合には、中間フレームの連結個数を変更することによって、引戸の左右方向のサイズを大きく変更することができ、サイズ変更を容易に対応することができ、引戸の作製作業を更に有利に行える。
【００２０】
前記複数の中間フレーム部が、筒状の中空部材からなり、該複数の中間フレーム部の両内部に渡って、それぞれの連結側端部から挿入可能な挿入部材と、この挿入部材を両フレーム部に挿入した状態で両フレーム部それぞれに備えさせた孔を通してから該挿入部材に備えさせた螺合部に螺合させることにより該挿入部材を介して該中間フレーム部同士を連結するための螺子体とを備えさせている場合には、強度的に弱くなる連結部分を挿入部材にて補強することができる。
【発明を実施するための最良の形態】
【００２１】
図１及び図２に、一直線上の案内レールＲを移動（スライド）させることにより、敷地内に形成される出入り口を開閉するためのスライド開閉式の門扉（引戸の一例）を示している。図１では、門扉が、出入り口を開放した位置に移動した状態を示し、右側に門扉を移動（スライド）させることにより、出入り口を閉じることができるようになっている。図１に示す１は、門扉を開放側へ移動させたときに開放位置で受け止めるための受止用のブロックであり、このブロック１の門扉と接当する位置にゴム等からなる弾性体２を備えさせているが、他の構成であってもよいし、無くてもよい。又、前記案内レールＲを移動させる引戸の他、転がり抵抗の少ない車輪やコロ等を用いて、案内レールを省略して実施してもよい。
【００２２】
前記門扉は、下面に回転自在な走行体としてのキャスタ３を４個備えた環状の外枠部を有するベースフレーム４と、該ベースフレーム４から上方へ立ち上げられた門扉本体（引戸本体）５とを備えている。
そして、前記キャスタ３を前記ベースフレーム４に螺子体としてのビス（図示せず）により取付自在に構成し、前記ベースフレーム４と前記門扉本体５とを螺子体としての後述するビス６により連結自在に構成し、前記ベースフレーム４が、左右方向両端に位置するコの字状の端部フレーム部７と、これら端部フレーム部７，７の左右方向内方側端に連結可能な中間フレーム部８とを備え、前記門扉本体５が、前記端部フレーム部７，７及び前記中間フレーム部８のうちの少なくとも両側の端部フレーム部７，７それぞれに連結自在な縦フレーム部９を備えている。前記キャスタ３を前記ベースフレーム４にビス止めする場合には、ベースフレーム４の底板部に螺子孔を形成し、ベースフレーム４にキャスタ３を直接ビス止めする、又は螺子孔を備えたプレートをベースフレーム４の底板部に溶接により固定し、プレートにキャスタ３をビス止めしてもよい。
【００２３】
前記キャスタ３は、図１及び図２に示すように、左右の端部フレーム部７，７を構成する前後一対の左右フレーム部分７Ａ，７Ａの長手方向ほぼ中央位置に形成の一対の螺子孔（図示せず）にビス（図示せず）を介して螺着される左右方向視において門型でかつ正面視において逆台形状の支持部材３Ａと、この支持部材３Ａを構成する前後一対の逆台形状の縦板部間に貫通支持された支軸３Ｂに回転自在に取り付けられた車輪３Ｃとから構成されているが、コロ、球状体、ローラ等の他の構成であってもよい。
【００２４】
前記左右の端部フレーム部７，７は、同一構成（異なる構成であってもよい）であり、各端部フレーム部７は、図５（ａ），（ｂ）に示すように、金属製で複数（３本）の角筒状部材からなり、具体的には、前後方向に延びる前後フレーム部分７Ｂと、前後フレーム部分７Ｂの前後端それぞれから同一方向の左右方向に延びる前記前後一対の左右フレーム部分７Ａ，７Ａとからなる平面視ほぼコの字状に構成され、前記前後フレーム部分７Ｂの上面のうちの前後端のそれぞれに、前記縦フレーム部９を外嵌可能な嵌合部としての短角筒部７Ｃを上方へ突出する状態で溶接により固定している。前記左右フレーム部分７Ａ，７Ａの遊端部の底面及び左右フレーム部分が互いに対抗する内側面のそれぞれに、該フレーム部分の長手方向に沿って一対の貫通孔７Ｎ，７Ｎ（図では底面のみ示している）を形成するとともに、前記前後一対の短角筒部７Ｃ，７Ｃの４面のうちの左右の側面と短角筒部が互いに対抗する内側面の３面のそれぞれに、上下一対の螺子孔７Ｍ，７Ｍ（図では右側面のみ示している）を形成している。前記縦フレーム部９を短角筒部７Ｃに外嵌することによって、短角筒部７Ｃを縦フレーム部９内に隠すことができ、好ましいが、縦フレーム部９を短角筒部７Ｃに内嵌できる大きさに両者を設定して実施することもできる。
【００２５】
前記中間フレーム部８は、図４（ａ），（ｂ）に示すように、金属製で複数（４本）の角筒状部材からなり、具体的には、左右方向に延びる前後一対の左右フレーム部分８Ａ，８Ａと、これら左右フレーム部分８Ａ，８Ａの左右方向２箇所で前後方向に連結する左右一対の前後フレーム部分８Ｂ，８Ｂとからなる梯子状に構成され、左右フレーム部分８Ａ，８Ａの左右方向ほぼ中央位置のそれぞれに、前記縦フレーム部９を外嵌可能な嵌合部としての短角筒部８Ｃを上方へ突出する状態で溶接により固定している。前記左右フレーム部分８Ａ，８Ａそれぞれの左右両端部の底面及び左右フレーム部分が互いに対抗する内側面のそれぞれに、フレーム部分の長手方向に沿って一対の貫通孔８Ｎ，８Ｎ（図では底面のみ示している）を形成するとともに、前記前後一対の短角筒部８Ｃ，８Ｃの左右側面のそれぞれに、上下一対の螺子孔８Ｍ，８Ｍ（図では右側面のみ示している）を形成している。前記縦フレーム部９を短角筒部７Ｃに外嵌することによって、短角筒部７Ｃを縦フレーム部９内に隠すことができ、好ましいが、縦フレーム部９を短角筒部７Ｃに内嵌できる大きさに両者を設定して実施することもできる。
【００２６】
前述のように、前記端部フレーム部７，７及び前記中間フレーム部８のそれぞれが、筒状の中空部材からなっており、図１０（ａ），（ｂ），（ｃ）に示すように、該端部フレーム部７，７及び該中間フレーム部８の両内部に渡って、それぞれの連結側端部から挿入可能なコの字状の挿入部材１０と、この挿入部材を両フレーム部に挿入した状態で両フレーム部７，８の底面及び互いに対抗する内側面それぞれに形成した前記一対の孔７Ｎ，７Ｎ、８Ｎ，８Ｎを通してから該挿入部材１０の縦板部及び底板部のそれぞれにそれの長手方向に沿って形成された４つの螺合部としての螺子孔１０ａ，１０ｂに螺合させることにより、該挿入部材１０を介して該端部フレーム７，７と該中間フレーム部８とを連結可能とするための螺子体としてのビス１１とを備えさせている。例えば、端部フレーム７，７それぞれの前後一対の遊端部から挿入部材１０をほぼ半分のところまで挿入してから、一方の端部フレーム７から突出している挿入部材１０，１０にこれに対向位置する中間フレーム部８の一方の連結側端部を外挿し、１６個のビス１１をねじ込むことによって、一方の端部フレーム７とこれの連結側となる中間フレーム部８の端部とを連結した後、他方の端部フレーム７から突出している挿入部材１０，１０にこれに対向位置する中間フレーム部８の他方の連結側端部を外挿し、１６個のビス１１をねじ込むことによって、他方の端部フレーム７とこれの連結側となる中間フレーム部８の端部とを連結して、図３に示すベースフレーム４を組み立てることができるようになっているが、組み立てる順序は自由に変更することができる。又、ビス１１の数やビス止めする位置も図に示されるものでなくてもよい。又、挿入部材１０をコの字状としたが、Ｌ字状又は角筒状あるいは平板状に構成することもできる。又、挿入部材１０をフレーム部に対して内挿する構成とすることによって、見栄えのよいものにすることができるが、フレーム部の外面に接当させた状態で両フレーム部を連結する構成であってもよい。
【００２７】
前記縦フレーム部９は、図１に示すように、左右両側に位置する端部フレーム部７，７の左右方向の端のそれぞれに着脱自在に立設される端部側の角筒状の縦フレーム部の２本と、中間フレーム部８の左右方向ほぼ中央に立設される中央側に位置する角筒状の縦フレーム部の２種類の合計３本からなっているが、中央側の縦フレーム部を省略して左右両端の縦フレーム部のみから構成してもよい。又、前記各縦フレーム部９の上部裏面には、図２、図６（ｂ）、図７（ｂ）及び図８（ｂ）に示すように、後方に突出する嵌合部としての短角筒部１２を備えており、この短角筒部１２に一端が外嵌して該短角筒部１２の左右壁に形成の螺子孔１２Ａ，１２Ａ（図では一方側のみ図示している）に図示していないネジにより固定される補強フレーム部１３を備えさせているが、無くてもよい。前記補強フレーム部１３は、図９にも示すように、前記短角筒部１２に外嵌可能でかつ左右側壁にそれぞれ貫通孔１３ａ（図では右側のみ示している）が形成された水平短角筒部１３Ａと、この水平短角筒部１３Ａの後端部から後側ほど下方に位置する後下がり傾斜姿勢となる傾斜角筒部１３Ｂと、この傾斜角筒部１３Ｂの下端から垂直方向となるとともにベースフレーム４の後端に立設された後側短角筒部１４に外嵌可能な縦向き角筒部１３Ｃとからなっている。前記縦向き角筒部１３Ｃの左右側壁のそれぞれに、ビスを挿通可能な上下一対の貫通孔１３ｃ，１３ｃ（図では右側のみ示している）を縦向き角筒部１３Ｃが前記後側短角筒部７Ｃに外嵌したときに前記上下一対の螺子孔７Ｍ，７Ｍ（図５（ｂ）参照）に対応する状態で形成している。
【００２８】
前記左右両端に位置する縦フレーム部９，９のうちの左側に位置する縦フレーム部９を、図６（ａ），（ｂ）に示し、右側に位置する縦フレーム部９を図７（ａ），（ｂ）に示し、中央に位置する縦フレーム部９を、図８（ａ），（ｂ）に示している。各縦フレーム部９は、前述のように、それの上部裏面に補強フレーム部９を外嵌してビス止めするための短角筒部１２を備え、左右方向で隣り合う縦フレーム部９，９間に、角筒状で、かつ、補強用の連結フレーム部としての横桟１５の３本を上下方向で所定間隔を置いて載置支持するためのＬ字状のブラケット１６を備えさせている。前記補強用の横桟１５を省略して実施することもできる。この場合、後述する網状体２０は、縦フレーム部９，９に固定することになる。又、前記ブラケット１６を、左側の縦フレーム部９では、それの右側壁の上下方向３箇所に備えさせ、右側の縦フレーム部９では、それの左側壁の上下方向３箇所に備えさせ、中央の縦フレーム部９では、それの左右側壁それぞれの上下方向３箇所に備えさせている。又、中央に位置する縦フレーム部９の下端部の左右側壁及び左右端に位置する縦フレーム部９の下端部の後側壁と左右方向内側壁のそれぞれには、前記ビス６を挿入可能な上下一対の貫通孔９ａ，９ａ（図では右側のみ示している）を形成している。従って、各縦フレーム部９を短角筒部７Ｃ，８Ｃに外嵌してから、ビス６を貫通孔９ａを通し、短角筒部７Ｃ又は８Ｃの螺子部７Ｍ，７Ｍ又は８Ｍ，８Ｍにねじ込むことにより、各縦フレーム部９を短角筒部７Ｃ，８Ｃに連結することができるようになっている。図７（ａ）に示すＫは、図１４で示している取っ手Ｔを取り付けるための取付用の開口部であるが、取っ手の無いものであってもよい。
【００２９】
図１１（ａ）に示すように、前記ブラケット１６の縦板部に、貫通孔１６ａが形成されており、この貫通孔１６ａを通して該ブラケット１６に載置された前記横桟１５の左右両端の背板部に形成された螺子孔１５ａにビス１４をねじ込むことによって、横桟１５をブラケット１６に固定することができるようになっている。又、前記横桟１５の両端に形成した螺子孔１５ａ，１５ａよりも横桟の長手方向中心側位置に前後方向に貫通する前後一対の貫通孔１５ｂ，１５ｂを形成しており、図１１（ｂ）に示すように、先端にＵ字状のフック部１７Ａを備え、かつ、基端部に螺子部１７Ｂを備えたしの字状の止め金具１７を、それの螺子部１７Ｂから貫通孔１５ｂ，１５ｂへ挿入して後方へ突出した該螺子部１７Ｂに袋状のナット１８を螺合させることにより、止め金具１７を横桟１５に固定し、止め金具１７の先端のフック部１７Ａに、棒状部材１９が縦横に重ね合わせて構成されたメッシュ状の網状体２０の該特定の棒状部材１９を係止保持させている。前記網状体２０を前方側に張り出すように設けているが、後方側に設けて実施してもよい。
【００３０】
前記網状体２０を、図１８に示すように、後方が開放された断面形状がコの字状で金属製（ほぼ同等の強度を有するものであれば、合成樹脂などであってもよい）の固定部材２６にて前記横桟１５に押し付けて固定するように構成してもよい。前記固定部材２６は、前記網状体２０の左右幅寸法とほぼ同一の長さを有し、前記横桟１５の前後一対の貫通孔１５ｂ，１５ｂに対応する箇所に貫通孔２６ａが形成されている。そして、網状体２０を横桟１５の前端面に当て付けてから、固定部材２６を網状体２０にそれの前方側から当て付け、その状態で半球状の頭部を備えたボルト２７を固定部材２６の貫通孔２６ａを通してから横桟１５の貫通孔１５ｂ，１５ｂに貫通させる。前記横桟１５の後端から後方へ突出したボルト２７の先端の螺子部に袋状のナット１８を螺合させることによって、固定部材２６と横桟１５との間で網状体２０を挟持固定することができるようになっている。
【００３１】
前記網状体２０に代えて、図１４〜図１６に示すように、上下一対の横桟２１，２１とこれら横桟２１，２１間を連結する多数の縦桟２２とからなる格子状の化粧用のフェンスであってもよい。前記フェンスの横桟２１，２１の両端にビス２３を上下方向に貫通する上下一対の貫通孔２１ａ，２１ａを形成し、それら貫通孔２１ａ，２１ａ及び前記ブラケット１６の底板部に形成の貫通孔１６ｂを貫通させたビス２３の下端に袋状のナット２４を螺合させることにより、横桟２１，２１をブラケット１６に固定することができるようになっている。
【００３２】
前記縦フレーム部９を短角筒部８Ｃ（７Ｃ）に外嵌してからビス６止めするように構成しているが、図１２及び図１３に示すように、縦フレーム部９の下面を載置支持するための矩形状で環状の載置板部２５Ａと、この載置板部２５Ａの外周縁から上方に立ち上げた４枚の縦板部２５Ｂ，２５Ｃ，２５Ｄ，２５Ｅとからなる断面形状がＬ字状のカバー部材２５を、それの下面に形成の開口２５Ｋを通して短角筒部８Ｃに外嵌した後、縦フレーム部９を短角筒部８Ｃに外嵌しながら縦板部２５Ｂ，２５Ｃ，２５Ｄ，２５Ｅの内面と短角筒部８Ｃの外面とで形成される隙間に入り込ませることによって、ガタツキの無い状態で縦フレーム部９をセットすることができるようになっている。そして、セットが完了した後は、前述した４個のビス６にて縦フレーム部９を短角筒部８Ｃに固定することができるようになっている。
【００３３】
図１７に示すように、前記筒状の中間フレーム部８の２つを連結して前記示した引戸（門扉）よりも大型なものを示している。この場合も、前述のように、該２つの中間フレーム部８，８の両内部に渡って、それぞれの連結側端部から挿入可能なコの字状（前述のように形状は変更できる）の挿入部材１０と、この挿入部材１０を両フレーム部８，８に挿入した状態で両フレーム部それぞれに備えさせた孔を通してから該挿入部材１０，１０に備えさせた螺合部に螺合させることにより該挿入部材１０を介して該中間フレーム部８，８同士を連結可能とするための螺子体１１とを備えさせている。図では縦フレーム部を図示していないが、４本の縦フレーム部９が取り付けられることになる。又、図１７では、２つの中間フレーム部８，８としたが、３つ以上の中間フレーム部を連結して更に大型な引戸（門扉）を構成してもよい。尚、図１７で説明しなかった他の構成は、図１〜図３のものと同一であるため、同一の符号を付すとともに説明を省略する。
【図面の簡単な説明】
【００３４】
【図１】引戸（門扉）の正面図である。
【図２】図１におけるＩＩ−ＩＩ線断面図である。
【図３】ベースフレームの平面図である。
【図４】中間フレーム部を示し、（ａ）はそれの平面図、（ｂ）はそれの側面図である。
【図５】端部フレーム部を示し、（ａ）はそれの平面図、（ｂ）はそれの側面図である。
【図６】左側に位置する縦フレーム部を示し、（ａ）はそれの正面図、（ｂ）はそれの側面図である。
【図７】右側に位置する縦フレーム部を示し、（ａ）はそれの正面図、（ｂ）はそれの側面図である。
【図８】中央に位置する縦フレーム部を示し、（ａ）はそれの正面図、（ｂ）はそれの側面図である。
【図９】補強フレーム部を示し、（ａ）はそれの正面図、（ｂ）はそれの側面図である。
【図１０】（ａ）は挿入部材の斜視図、（ｂ）は挿入部材を端部フレーム部と中間フレーム部の両者に挿入し、ビスにより連結した状態を示す要部の平面図、（ｃ）は（ｂ）におけるＩ−Ｉ線断面図である。
【図１１】（ａ）は横桟の一端をブラケットにビス止めした状態を示す要部の断面図、（ｂ）は網状体を横桟に係止保持させた状態を示す要部の断面図である。
【図１２】カバー部材を挟んで縦フレーム部を短角筒部に固定する直前の状態を示す分解斜視図である。
【図１３】カバー部材を挟んで縦フレーム部を短角筒部に固定した状態を示す要部の縦断面図である。
【図１４】網状体に代えてフェンスを取り付けた引戸（門扉）の正面図である。
【図１５】図１４の引戸（門扉）の側面図である。
【図１６】図１４の横桟の固定構造を示す要部の分解斜視図である。
【図１７】２つの中間フレーム部と端部フレームとからなるベースフレームの平面図である。
【図１８】網状体を横桟に別の手段にて固定した状態を示す要部の断面図である。
【符号の説明】
【００３５】
１…ブロック、２…弾性体、３…キャスタ、３Ａ…支持部材、３Ｂ…支軸、３Ｃ…車輪、４…ベースフレーム、５…門扉本体（引戸本体）、６…ビス、７…端部フレーム部、７Ａ，８Ａ…左右フレーム部分、７Ｂ，８Ｂ…前後フレーム部分、７Ｃ，８Ｃ…短角筒部（嵌合部）、７Ｍ，８Ｍ…螺子孔、７Ｎ，８Ｎ…貫通孔、７ａ，８ａ…孔、８…中間フレーム部、９…縦フレーム部、９ａ…貫通孔、１０…挿入部材、１１…ビス、１２…短角筒部、１３…補強フレーム部、１３Ａ…水平短角筒部、１３Ｂ…傾斜角筒部、１３Ｃ…縦向き角筒部、１３ａ，１３ｃ…貫通孔、１４…ビス、１５…横桟（連結フレーム部）、１５ａ…螺子孔、１６…ブラケット、１６ａ…貫通孔、１７…止め金具、１７Ａ…フック部、１７Ｂ…螺子部、１８…ナット、１９…棒状部材、２０…網状体、２１…横桟、２２…縦桟、２３…ビス、２４…ナット、２５…カバー部材、２５Ａ…載置板部、２５Ｂ，２５Ｃ，２５Ｄ，２５Ｅ…縦板部、２６…固定部材、２６ａ…貫通孔、２７…ボルト、Ｋ…開口部、Ｒ…案内レール、Ｔ…取っ手
【図１】
2008063808.tif 000003
【図２】
2008063808.tif 000004
【図３】
2008063808.tif 000005
【図４】
2008063808.tif 000006
【図５】
2008063808.tif 000007
【図６】
2008063808.tif 000008
【図７】
2008063808.tif 000009
【図８】
2008063808.tif 000010
【図９】
2008063808.tif 000011
【図１０】
2008063808.tif 000012
【図１１】
2008063808.tif 000013
【図１２】
2008063808.tif 000014
【図１３】
2008063808.tif 000015
【図１４】
2008063808.tif 000016
【図１５】
2008063808.tif 000017
【図１６】
2008063808.tif 000018
【図１７】
2008063808.tif 000019
【図１８】
2008063808.tif 000020